(57)【要約】【課題】与干渉を必要以上に増加させることなく、伝送特性を向上できる無線通信システム、送信装置、中央制御装置および受信装置を提供する。【解決手段】複数の送信装置１００、２００が協調して受信装置３００と通信を行なう無線通信システムであって、通信における平均受信電力の各送信装置間の大小関係に応じて、各送信装置１００、２００による送信方法を決定し、全体の伝送特性を向上させる。無線通信システムは、平均受信電力の大小関係に応じて送信方法を決定する。平均受信電力の大きさにより各伝搬路の重要度が異なるため、重要度に応じて効率の良い伝送が可能となる。その結果、伝送特性を向上できる。【選択図】図３
2011004184.tif 000002
【特許請求の範囲】
【請求項１】
複数の送信装置が協調して受信装置と通信を行なう無線通信システムであって、
前記通信における平均受信電力の前記各送信装置間の大小関係に応じて、前記各送信装置による送信方法を決定し、全体の伝送特性を向上させることを特徴とする無線通信システム。
【請求項２】
前記受信装置における平均受信電力の大小関係に応じて、誤り訂正符号化後のパンクチャパターンを決定することを特徴とする請求項１記載の無線通信システム。
【請求項３】
前記受信装置における平均受信電力が大きい送信装置はシステマティックビットを優先して送信し、前記受信装置における平均受信電力が小さい送信装置はパリティビットを優先して送信するように前記送信方法を決定することを特徴とする請求項１または請求項２記載の無線通信システム。
【請求項４】
前記各送信装置が異なるビットを送信するように前記送信方法を決定することを特徴とする請求項１から請求項３のいずれかに記載の無線通信システム。
【請求項５】
前記各送信装置は、前記受信装置における平均受信電力に応じて、送信信号の再送方法を決定することを特徴とする請求項１記載の無線通信システム。
【請求項６】
前記受信装置における平均受信電力が他の送信装置と比較して小さい送信装置は、ＡＣＫ信号およびＮＡＣＫ信号のいずれも検出することができない場合に、送信信号を再送しないことを特徴とする請求項５記載の無線通信システム。
【請求項７】
他の装置と協調して受信装置と通信を行なう送信装置であって、
前記通信における平均受信電力の前記各送信装置間の大小関係に応じて、前記各送信装置による送信方法を決定し、全体の伝送特性を向上させることを特徴とする送信装置。
【請求項８】
複数の送信装置が協調して通信を行なう受信装置であって、
前記通信における前記送信装置ごとの平均受信電力の情報を前記各送信装置に送信し、前記各送信装置に、前記送信された平均受信電力の大小関係に応じて送信方法を決定させ、全体の伝送特性を向上させることを特徴とする受信装置。
【発明の詳細な説明】
【技術分野】
【０００１】
本発明は、複数の送信装置が協調して受信装置と通信を行なう無線通信システム、送信装置および受信装置に関する。
【背景技術】
【０００２】
現在、市場において第３世代（3rd Generation; ３Ｇ）携帯電話が急速に普及している。３Ｇの通信方式の一つであるＷ−ＣＤＭＡ（Wideband Code Division Multiple Access）では、下りリンク（基地局から移動局への通信）の静止時において最大２Ｍｂｐｓのデータ伝送が可能であり、Ｗ−ＣＤＭＡの拡張であるＨＳＰＡ（High Speed Packet Access）では、最大１４．４Ｍｂｐｓの通信が可能となっている。
【０００３】
さらなる高速データ伝送を可能とするため、３ＧＰＰ（3rd Generation Partnership Project）においてＬＴＥ（Long Term Evolution）と呼ばれる通信方式の標準化が進められ、ほぼ完了している。ＬＴＥでは３Ｇと同一の周波数帯域を用いて、下りリンクにおいて最大１００Ｍｂｐｓ〜３００Ｍｂｐｓの通信が可能となる。
【０００４】
現在、ＬＴＥの次の世代の通信方式としてＬＴＥ−Ａｄｖａｎｃｅｄ（ＬＴＥ−Ａ）の検討が行われている。ＬＴＥ−ＡはＬＴＥに対して様々な技術が加えられるが、その一つにＣｏＭＰ（Cooperative Multi-Point）がある。
【０００５】
ＣｏＭＰとは、複数の基地局が協力して信号を送信あるいは受信することを指す。ＣｏＭＰを導入することによって、セルエッジユーザの伝送速度を向上させることができると考えられる。例えば、ＳＴＴＤ（Space Time Transmit Diversity）やＳＦＢＣ（Space Frequency Block Coding）、あるいはＣＤＤ（Cyclic Delay Diversity）のような送信アンテナダイバーシチを適用することで、受信品質を向上させることができるため、セルエッジスループットを飛躍的に向上させることができる。
【０００６】
例えば非特許文献１では、中央制御装置においてＳＴＴＤ符号化を行い、符号化された２つの系列をそれぞれ異なる基地局から送信することで誤り率特性を大きく改善できることが示されている。
【先行技術文献】
【非特許文献】
【０００７】
【非特許文献１】井上学、藤井威生、中川正雄、“ＯＦＤＭ複数基地局システムにおけるＳＴＴＤを用いたサイトダイバーシチ法”、信学技報、社団法人電子情報通信学会、２００２年７月、ＲＣＳ２００２−１２７、ｐｐ．４９−５４
【発明の概要】
【発明が解決しようとする課題】
【０００８】
端末が２つの基地局と下りリンクでＣｏＭＰ受信している例を考える。ここでは、伝送方式を直交周波数分割多重（ＯＦＤＭ；Orthogonal Frequency Division Multiplexing）方式とする。２つの基地局と接続した場合、一方の基地局からの受信電力が大きく、他方からの受信電力が小さくなることが多い。この場合、複数の基地局（アンテナ）間で平均受信電力が大きく異なるため、最大限の送信アンテナダイバーシチ効果を得ることができなくなる。
【０００９】
また、上記のような送信アンテナダイバーシチ技術を用いて、２つの基地局から同一データを送信する場合、２つの基地局から同一の信号を送信するため、他端末に対する与干渉を増大させる。また、非特許文献１に記載される例のようにＡｌａｍｏｕｔｉ符号を用いると、３送信アンテナ以上の時、伝送レートが低下してしまう。
【００１０】
本発明は、このような事情に鑑みてなされたものであり、与干渉を増加させることなく、伝送特性を向上できる無線通信システム、送信装置および受信装置を提供することを目的とする。
【課題を解決するための手段】
【００１１】
（１）上記の目的を達成するため、本発明の無線通信システムは、複数の送信装置が協調して受信装置と通信を行なう無線通信システムであって、前記通信における平均受信電力の前記各送信装置間の大小関係に応じて、前記各送信装置による送信方法を決定し、全体の伝送特性を向上させることを特徴としている。
【００１２】
このように本発明の無線通信システムは、平均受信電力の大小関係に応じて送信方法を決定する。これにより、与干渉を低減できる。また、平均受信電力の大きさにより各伝搬路の重要度が異なるため、重要度に応じて効率の良い伝送が可能となる。その結果、伝送特性を向上できる。
【００１３】
（２）また、本発明の無線通信システムは、前記受信装置における平均受信電力の大小関係に応じて、誤り訂正符号化後のパンクチャパターンを決定することを特徴としている。これにより、平均受信電力の大きい伝搬路では情報を変えず、平均受信電力の小さい伝搬路では情報をパンクチャすることができる。その結果、基地局間で平均受信電力が異なっても、送信アンテナダイバーシチ効果が得られる。
【００１４】
（３）また、本発明の無線通信システムは、前記受信装置における平均受信電力が大きい送信装置はシステマティックビットを優先して送信し、前記受信装置における平均受信電力が小さい送信装置はパリティビットを優先して送信するように前記送信方法を決定することを特徴としている。
【００１５】
このように、符号化ビットの中で重要な役割を占めるシステマティックビットを伝搬路状態の良い基地局から送信し、パリティビットを受信電力が低い基地局から送信することにより、受信機におけるシステマティックビットの尤度を上げることができる。そして、平均受信電力の大きさに情報の重要度を対応させ、伝送特性を向上させることができる。
【００１６】
（４）また、本発明の無線通信システムは、前記各送信装置が異なるビットを送信するように前記送信方法を決定することを特徴としている。各基地局が互いに異なる信号を送信するため、与干渉を低減できる。そして、誤り訂正符号による符号化利得を向上できる。また、Ａｌａｍｏｕｔｉ符号を用いた場合と異なり、送信基地局数が３以上の場合であっても、伝送レートを低下させない。
【００１７】
（５）また、本発明の無線通信システムは、前記各送信装置は、前記受信装置における平均受信電力に応じて、送信信号の再送方法を決定することを特徴としている。これにより、送信信号の再送時に伝送特性を向上させ、他セルへの与干渉を低減できる。
【００１８】
（６）また、本発明の無線通信システムは、前記受信装置における平均受信電力が他の送信装置と比較して小さい送信装置は、ＡＣＫ信号およびＮＡＣＫ信号のいずれも検出することができない場合に、送信信号を再送しないことを特徴としている。
【００１９】
ＡＣＫ信号およびＮＡＣＫ信号のいずれも検出できない（ＤＴＸ）ということは、送信装置と受信装置の伝搬路状態が劣悪であり、初送データの信頼性が極めて低いことを意味する。このような場合には、再送せず改めて送信を行なった方が伝送特性を向上できる。なお、ＮＡＣＫ信号が検出されるときには、受信機において若干電力が足りなかっただけで、次の再送によって通信が成功する確率が高いことが予想される。
【００２０】
（７）また、本発明の送信装置は、他の装置と協調して受信装置と通信を行なう送信装置であって、前記通信における平均受信電力の前記各送信装置間の大小関係に応じて、前記各送信装置による送信方法を決定し、全体の伝送特性を向上させることを特徴としている。これにより、各伝搬路の重要度に応じて効率の良い伝送が可能となり、伝送特性を向上できる。
【００２１】
（８）また、本発明の受信装置は、複数の送信装置が協調して通信を行なう受信装置であって、前記通信における前記送信装置ごとの平均受信電力の情報を前記各送信装置に送信し、前記各送信装置に、前記送信された平均受信電力の大小関係に応じて送信方法を決定させ、全体の伝送特性を向上させることを特徴としている。これにより、各伝搬路の重要度に応じて効率の良い伝送が可能となり、伝送特性を向上できる。
【発明の効果】
【００２２】
本発明によれば、端末における各基地局との平均受信電力が異なる場合に、各基地局との伝搬路状態が異なることを考慮した通信を行なうことで、与干渉を増加させることなく、伝送特性を向上できる。
【図面の簡単な説明】
【００２３】
【図１】無線通信システムの一例を示す概略図である。
【図２Ａ】基地局の構成を示すブロック図である。
【図２Ｂ】基地局の構成を示すブロック図である。
【図３】符号化の情報ビット系列を示す図である。
【図４】基地局から送信された信号の受信電力を示す図である。
【図５Ａ】パンクチャパターンの例を示す図である。
【図５Ｂ】パンクチャパターンの例を示す図である。
【図５Ｃ】パンクチャパターンの例を示す図である。
【図６】符号化の情報ビット系列を示す図である。
【図７】端末の構成を示すブロック図である。
【図８】受信処理部の構成を示すブロック図である。
【図９】基地局の構成を示すブロック図である。
【発明を実施するための形態】
【００２４】
以下、図面を参照しながら本発明の実施形態について説明する。伝送方式としてＯＦＤＭ（Orthogonal Frequency Division Multiplexing）に本発明を適用した例を説明するが、ＤＦＴ−Ｓ−ＯＦＤＭ（Discrete Fourier Transform Spread OFDM）やＣｌｕｓｔｅｒｅｄ  ＤＦＴ−Ｓ−ＯＦＤＭ等のシングルキャリア伝送にも適用可能である。さらに、以下で説明する実施形態では、周波数分割多重（ＦＤＭ；Frequency Division Multiplexing）が適用され、各基地局（送信装置）は異なる周波数で信号を送信するが、時分割多重（ＴＤＭ；Time Division Multiplexing）や、空間多重（ＳＤＭ；Space Division Multiplexing）、符号分割多重（ＣＤＭ；Code Division Multiplexing）が適用されてもよい。また、２局の基地局が協調して通信を行なうが、２以上の基地局が協調して通信を行なってもよい。
【００２５】
［第１の実施形態］
図１は、無線通信システム８０の一例を示す概略図である。図１に示す無線通信システム８０の例では、基地局１００および基地局２００が端末３００と通信を行なっており、端末３００において基地局１００からの受信電力が基地局２００からの受信電力より大きい。したがって端末３００は主として基地局１００と接続する。このとき、基地局１００は端末３００にとってのアンカーセルと呼ぶことにする。
【００２６】
図２Ａは、基地局１００の構成を示すブロック図である。基地局１００は、符号化部１０３、パンクチャビット決定部１０４、パンクチャ部１０５、インターリーブ部１０６、変調部１０７、スペクトルマッピング部１０８、参照信号生成部１０９、参照信号挿入部１１０、ＩＦＦＴ部１１１、ＣＰ挿入部１１２およびアンテナ１１３を有している。情報ビット系列は符号化部１０３に入力される。符号化部１０３では、ターボ符号や低密度パリティチェック（ＬＤＰＣ；Low Density Parity Check）符号等の誤り訂正符号化が行なわれる。本実施形態ではターボ符号を用いた場合について説明を行なう。符号化部１０３は、符号化率１／３の符号化を行なう。符号化後の符号化ビット系列については後述する。符号化されたビット系列はパンクチャ部１０５に入力される。パンクチャ部１０５におけるパンクチャに用いられるパンクチャパターンはパンクチャビット決定部１０４から通知される。パンクチャビット決定部１０４は、パンクチャパターンを基地局２００にも通知する。このように、パンクチャビットの決定は、原則、アンカーセルの基地局１００が行なう。パンクチャビット決定部１０４の動作は後述する。
【００２７】
パンクチャ部１０５でパンクチャされたビット系列はインターリーブ部１０６で系列順を入れ替えた後、変調部１０７においてＱＰＳＫ（Quadrature Phase Shift Keying）や１６ＱＡＭ（Quadrature Amplitude Modulation）等の変調が行われる。その後、スペクトルマッピング部１０８において所定の周波数への変調シンボルの割り当てが行われた後、参照信号挿入部１１０において、参照信号生成部１０９が生成した参照信号を多重した後、ＩＦＦＴ部１１１において逆高速フーリエ変換（ＩＦＦＴ；Inverse Fast Fourier Transform）を適用することで周波数領域信号から時間領域信号への変換を行なう。ＣＰ挿入部１１２においてＣＰ（Cyclic Prefix）を付加した後、アンテナ１１３から送信する。
【００２８】
次に、基地局２００の構成について説明する。図２Ｂは、基地局１００の構成を示すブロック図である。基地局２００にも基地局１００と同一の情報ビット系列（あるいは誤り訂正符号化後の符号化ビット系列がパンクチャ部２０５に直接入力されてもよい）が入力されるものとする。基地局２００は、符号化部２０３、パンクチャ部２０５、インターリーブ部２０６、変調部２０７、スペクトルマッピング部２０８、参照信号生成部２０９、参照信号挿入部２１０、ＩＦＦＴ部２１１、ＣＰ挿入部２１２およびアンテナ２１３を有している。基地局２００の構成は、基地局１００の構成とほぼ同じであるが、パンクチャ部２０５に入力されるパンクチャパターンは基地局１００のパンクチャビット決定部１０４から通知される。なお、変調部２０７における変調方式は、基地局１００の変調部１０７における変調方式と異なってもよい。
【００２９】
次に、符号化部１０３で行なわれる符号化について説明する。図３は、符号化ビット系列を示す図である。図３に示すように、Ｎビットの情報ビット系列は、Ｎビットのシステマティック（組織）ビットｓ（１）〜ｓ（Ｎ）と、Ｎビットの第１のパリティ（冗長）ビットｐ１（１）〜ｐ１（Ｎ）と、Ｎビットの第２のパリティ（冗長）ビットｐ２（１）〜ｐ２（Ｎ）の合計３Ｎビットに符号化される。
【００３０】
次に、パンクチャビット決定部１０４におけるパンクチャパターンの決定方法について説明する。本実施形態では、複数の基地局が同一の情報ビットに関する情報を送信することを仮定している。図４は、基地局１００、２００から送信された信号の受信電力を示す図である。図４のように、基地局１００から送信された信号の平均受信電力が、基地局２００から送信された信号の平均受信電力より大きい場合について説明する。なお、平均受信電力は、受信電力の周波数平均を指す。
【００３１】
平均受信電力が基地局により異なる場合、平均受信電力に適した変調方式および符号化率（ＭＣＳ；Modulation and coding scheme）で基地局が送信を行なうことが考えられる。つまり、各基地局から同一の符号化ビットを送信し、各基地局からの受信信号を合成することで、受信符号化ビットの受信信号対雑音電力比（ＳＮＲ；Signal-to-Noise power Ratio）を向上させることができる。しかし、このように同じ符号化ビットを複数の基地局から送信する方法ではＳＮＲを向上させることはできるが、誤り訂正符号による符号化利得を向上させることはできない。
【００３２】
そこで本実施形態では、各基地局１００、２００が異なる符号化ビットを送信する。パンクチャビット決定部１０４には、基地局１００と端末３００の間の伝搬路状態ＰＲ１と、基地局２００と端末３００の間の伝搬路状態ＰＲ２が入力される。また、ターボ符号では、システマティックビットとパリティビットを生成するが、パリティビットよりもシステマティックビットの方が重要であり、一般的なパンクチャにおいてもパリティビットがパンクチャされる。したがって伝搬路状態ＰＲ１が伝搬路状態ＰＲ２と比較して良好な場合、パンクチャビット決定部１０４は基地局１００でのパンクチャパターンとして、システマティックビットのみを送信するようにパンクチャパターンをパンクチャ部１０５に入力する。
【００３３】
このように、端末３００における平均受信電力が大きい基地局１００はシステマティックビットを優先して送信し、平均受信電力が小さい基地局２００はパリティビットを優先して送信するように送信符号化ビットを決定する。これにより、端末３００におけるシステマティックビットの受信品質を上げることができる。その結果、伝送特性を向上させることができる。そして、各基地局が互いに異なる信号を送信するため、与干渉を低減できる。その結果、誤り訂正符号による符号化利得を向上できる。
【００３４】
また、パンクチャビット決定部１０４は、基地局１００が送信しない（パンクチャした）符号化ビットに対して、所定の符号化率になるようにさらにパンクチャを行い、基地局２００のパンクチャ部２０５でのパンクチャに用いられるパンクチャパターンを基地局２００へ通知する。基地局２００のパンクチャ部２０５は、基地局１００のパンクチャビット決定部１０４から通知されるパンクチャパターンによってパンクチャを行なう。
【００３５】
図５Ａ〜図５Ｃは、パンクチャパターンの例を示している。例えば、符号化率１／２の誤り訂正符号化を行なう場合、パンクチャパターンを通常図５Ａのように表記する。行列の行は、システマティックビット、パリティビット１、パリティビット２を表し、行列の列は２ｎ番目、２ｎ＋１番目のビットを表し、“１”は送信することを示し、“０”は送信しない（パンクチャする）ことを表している。本実施形態における基地局１００でのパンクチャパターンの例を図５Ｂに示す。図５Ｂに示す例では、基地局１００はシステマティックビットのみを送信することになる。
【００３６】
基地局２００でのパンクチャパターンを図５Ｃに示す。システマティックビットは基地局１００が送信しているため、基地局２００からは符号化率１／２を満たすための符号化ビットのうち、システマティックビット以外の符号化ビットを送信する。つまりｐ１（０）、ｐ２（１）、ｐ１（２）、ｐ２（３）、・・・が送信されることになる。このように、平均受信電力の大小関係に応じて、誤り訂正符号化後のパンクチャパターンを決定する。その結果、基地局間で平均受信電力が異なっても、送信アンテナダイバーシチ効果が得られる。
【００３７】
なお、説明の簡略化のため、基地局１００からはシステマティックビットのみを送信し、基地局２００からはパリティビットのみを送信するとしたが、各基地局との伝搬路状態を考慮し、基地局１００からシステマティックビットに加えてパリティビットを送信する場合や、基地局２００からパリティビットに加えてシステマティックビットを送信する場合も本発明に含まれる。
【００３８】
次に、３局以上の基地局が協調して通信を行う場合について図６を用いて説明する。基地局として基地局１００、基地局２００、基地局４００が存在し、協調して伝送を行なうものとする。図６では、システマティックビットＮビットの後部に、パリティビット１とパリティビット２を交互に並べて系列が形成されている。まずアンカーセルである基地局１００は、システマティックビットＮＡビットを送信する。基地局２００は、基地局１００がシステマティックビットＮＡビットを送信するため、ＮＡ＋１ビット目からＮＢビットを送信することになる。同様に基地局４００は、ＮＡ＋ＮＢ＋１ビット目からＮＣビットを送信する。なお、ここで、基地局１００はシステマティックビットのみを送信する例を示したが、ＮＡ＞Ｎである場合、パリティビットも送信することになる。
【００３９】
次に、端末３００の構成について説明する。図７は、端末３００の構成を示すブロック図である。アンテナ３０１が受信した受信信号は、ＣＰ除去部３０２に入力され、基地局１００、２００で付加されたＣＰの除去を行なう。ＣＰ除去部３０２の出力はＦＦＴ部３０３に入力される。ＦＦＴ部３０３では、時間領域信号を周波数領域信号に変換する処理が行なわれる。ＦＦＴ部３０３が出力する周波数領域信号は参照信号分離部３０４に入力される。参照信号分離部３０４では、基地局１００、２００で多重された参照信号を分離し、伝搬路推定部３０５に入力する。
【００４０】
伝搬路推定部３０５では、入力された受信参照信号を基に伝搬路推定を行ない、伝搬路推定値を伝搬路補償部３０６に入力する。一方、参照信号分離が出力する参照信号以外の信号、つまりデータ信号は伝搬路補償部３０６に入力される。伝搬路補償部３０６では、伝搬路推定部３０５から入力される伝搬路推定値を用いて、データ信号が伝搬路で受けた影響を補償する処理が行なわれる。伝搬路補償部３０６の出力はスペクトルデマッピング部３０７に入力され、基地局１００および基地局２００が送信に用いた周波数のみを個別に抽出し、スペクトルデマッピング部３０７に入力される。スペクトルデマッピング部の各出力は受信処理部３０８に入力され、受信処理部３０８は、１もしくは０の情報ビット系列を出力する。
【００４１】
受信処理部３０８の構成を説明する。図８は、受信処理部３０８の構成を示すブロック図である。スペクトルデマッピング部３０７の各出力は受信処理部３０８内部の復調部３１１および復調部３１３に入力される。基地局１００に対するスペクトルデマッピング部３０７の出力は、復調部３１１に入力される。復調部３１１では、基地局１００が行った変調を基にビット対数尤度比（ＬＬＲ；Log-Likelihood Ratio）を算出し、デインターリーブ部３１２に入力する。デインターリーブ部３１２では、基地局１００においてインターリーブされたビット順を元に戻す処理を行い、デパンクチャ部３１５に入力する。基地局２００に対するスペクトルデマッピング部３０７の出力も、復調部３１３およびデインターリーブ部３１４により基地局１００に対する出力と同様の処理を施し、デパンクチャ部３１５に入力する。
【００４２】
デパンクチャ部３１５では、符号化ビットのうち、各基地局が送信したビットに関しては、パンクチャ情報を基にデインターリーブ部３１２あるいはデインターリーブ部３１４から入力されるビットＬＬＲを入力し、いずれの基地局も送信を行なわなかった符号化ビットに関しては、ゼロを入力する。なお、複数の基地局が同じ符号化ビットを送信している場合は、各基地局からのビットＬＬＲを合成（加算）すればよい。デパンクチャを行なったビット系列は復号部３１６に入力され、復号部３１６において誤り訂正復号処理が行なわれる。復号部３１６は、誤り訂正復号後のシステマティックビットのビットＬＬＲを硬判定し、情報ビット系列として出力する。一方で、端末３００は、基地局ごとの平均受信電力の情報を各基地局に送信する。
【００４３】
このようにして、無線通信システム８０は、端末と各基地局間の平均受信電力の大小関係に応じて、各基地局による送信方法を決定し、全体の伝送特性を向上させている。その結果、伝送特性を向上できる。
【００４４】
なお、上記の実施形態では、基地局１００がパンクチャビット決定部１０４を具備する構成としたが、基地局はＲＲＥ（Remote Radio Element）として数百メートル離れたところにアンテナを持つものであってもよい。
【００４５】
上記のように各基地局で異なる符号化ビットを送信するため、符号化利得を効果的に得ることができるようになる。また、符号化ビットの中で重要な役割を占めるシステマティックビットを伝搬路状態の良い基地局から送信し、パリティビットを受信電力が低い基地局から送信することにより、端末におけるシステマティックビットの尤度を上げることができるため、効果的な復号が行えるようになる。
【００４６】
［第２の実施形態］
上記の実施形態では、平均受信電力に応じて送信信号の送信方法を決定するが、平均受信電力に応じて送信信号の再送方法を決定してもよい。その場合には、送信信号の再送時に伝送特性を向上させ、他セルへの与干渉を低減できる。
【００４７】
一般的に、送信データにはＣＲＣ（Cyclic Redundancy Check）と呼ばれる検査符号が付加され、受信機で誤り検出ができるようになっている。誤りが検出されなかった場合、受信機は送信機にＡＣＫ（ACKnowledge）ビットを通知し、誤りが検出された場合、ＮＡＣＫ（Negative AcK）ビットを通知する。ＮＡＣＫビットを通知された送信機は、ＣＣ（Chase Combining）やＩＲ（Incremental Redundancy）等の方法で送信データの再送を行なう。送信機がＡＣＫもＮＡＣＫも検知できなかった場合には、ＤＴＸ（Discontinuous Transmission）と判断して通常は再送を行なう。本実施形態では、下りリンクＣｏＭＰにおいて、各基地局からの受信電力に差があるときの、再送時の制御について説明を行なう。
【００４８】
図９は、基地局４００の送信機構成を示すブロック図である。基地局１００は、ＣＲＣ付加部４０２、符号化部４０３、ＡＣＫ／ＮＡＣＫ検出部４０４、パンクチャ部１０５、変調部４０７、スペクトルマッピング部４０８、参照信号生成部４０９、参照信号挿入部４１０、ＩＦＦＴ部４１１、ＣＰ挿入部４１２およびアンテナ４１３を有している。基地局４００は、第１の実施形態における基地局１００と同様の構成を有している。なお、端末は図示していないが、図７に示す構成にＡＣＫ／ＮＡＣＫ検出構成および基地局へのＡＣＫ／ＮＡＣＫ通知構成を付加したものであり、一般的に用いられる端末構成である。初めに情報ビット系列はＣＲＣ付加部４０２に入力され、ＣＲＣが付加される。その後、符号化部４０３に入力され、誤り訂正符号化が行なわれた後、パンクチャ部４０５に入力される。一方、ＡＣＫ／ＮＡＣＫ検出部は、端末３００から通知される制御情報が入力され、ＡＣＫ、ＮＡＣＫあるいはＤＴＸをパンクチャ部４０５に入力する。
【００４９】
パンクチャ部４０５では、送信すべき符号化率と、ＡＣＫ／ＮＡＣＫ検出部４０４からのＡＣＫ／ＮＡＣＫ情報を考慮してパンクチャパターンを決定する。つまり、初送時、あるいはＡＣＫ／ＮＡＣＫ検出部４０４からの入力がＡＣＫの時は、未送信の情報が所定の符号化率でパンクチャされ送信される。一方ＡＣＫ／ＮＡＣＫ検出部４０４からの入力がＮＡＣＫの場合は、ＣＣモードの場合は初送と同じパンクチャパターンが適用され、ＩＲモードの場合は、初送で送信していない符号化ビットを優先して送信するようなパンクチャが行なわれる。このように、メインで接続し、制御情報を移動局等の端末と交換する基地局（アンカーセル）は上記の制御によって通信を行なう。
【００５０】
一方、アンカーセル以外で、協調通信を行なう基地局について説明する。アンカーセル以外の基地局においても、ＡＣＫ／ＮＡＣＫ検出部４０４においてＡＣＫが検出された場合、次のデータを所定の方法で送信する。また、ＤＴＸが検出された場合、初送で送信したビットを送信することになる。一方、ＮＡＣＫが検出された場合、基地局は送信を行なわない。
【００５１】
これは、ＤＴＸが通知されるということは、基地局と端末の伝搬路状態が劣悪であり、初送データの信頼性が極めて低いため、改めて送信を行なった方が特性を向上できるのに対し、ＮＡＣＫが検出されるということは、端末において若干電力が足りなかっただけで、次の再送によって通信が成功する確率が高いことが予想される。そのため協調して送信を行なう基地局のうち、アンカーセルだけ送信を行なえば十分であるため、他の基地局は送信を行なわない。他の基地局は、初送時に用いた周波数リソースに関して、無送信とすれば、他セルへの与干渉を低減できる。あるいは無送信ではなく、他の端末へリソースを割り当てることで周波数利用効率を向上させることもできる。なお、本実施形態もＲＲＥシステムに適用されてもよい。
【００５２】
このように、ＡＣＫ／ＮＡＣＫによって協調通信を行なう基地局が、データ送信を行なうか、停波するかを決めることで、周辺セルに対する与干渉を抑えることができる。さらに送信を行なわなかったリソース（周波数、時間等）を他の端末に割り当てることができるため周波数利用効率を向上させることができる。
【符号の説明】
【００５３】
８０  無線通信システム
１００、２００、４００  基地局（送信装置）
１０１、２０１  Ｓ／Ｐ変換部
１０３、２０３、４０３  符号化部
１０４ パンクチャビット決定部
１０５、２０５、４０５  パンクチャ部
１０６、２０６  インターリーブ部
１０７、２０７、４０７  変調部
１０８、２０８、４０８  スペクトルマッピング部
１０９、２０９、４０９  参照信号生成部
１１０、２１０、４１０  参照信号挿入部
１１１、２１１、４１１  ＩＦＦＴ部
１１２、２１２、４１２  ＣＰ挿入部
１１３、２１３、４１３  アンテナ
３００  端末（受信装置）
３０１  アンテナ
３０２  除去部
３０３  ＦＦＴ部
３０４  参照信号分離部
３０５  伝搬路推定部
３０６  伝搬路補償部
３０７  スペクトルデマッピング部
３０８  受信処理部
３１１、３１３  復調部
３１２、３１４  デインターリーブ部
３１５  デパンクチャ部
３１６  復号部
４０２  ＣＲＣ付加部
４０４  ＡＣＫ／ＮＡＣＫ検出部
ＰＲ１、ＰＲ２  伝搬路状態
【図１】
2011004184.tif 000003
【図２Ａ】
2011004184.tif 000004
【図２Ｂ】
2011004184.tif 000005
【図３】
2011004184.tif 000006
【図４】
2011004184.tif 000007
【図５Ａ】
2011004184.tif 000008
【図５Ｂ】
2011004184.tif 000009
【図５Ｃ】
2011004184.tif 000010
【図６】
2011004184.tif 000011
【図７】
2011004184.tif 000012
【図８】
2011004184.tif 000013
【図９】
2011004184.tif 000014